【事件の表示】
　特願２０１２−　３３３８１号「遊技機」拒絶査定不服審判事件〔平成２５年　９月　２日出願公開、特開２０１３−１６９２４５号〕について、次のとおり審決する。
【結　論】
　本件審判の請求は、成り立たない。
【理　由】
第１　手続の経緯
　本願は、平成２４年２月１７日の出願であって、平成２６年３月１２日付けで拒絶理由通知がなされ、平成２６年５月１６日付けで手続補正がなされたが、平成２７年２月２６日付けで拒絶査定がなされ、これに対し平成２７年５月２２日付けで拒絶査定不服審判の請求がなされるとともに、これと同時に手続補正がなされたものである。
第２　平成２７年５月２２日付けの手続補正についての補正却下の決定
［補正却下の決定の結論］
　平成２７年５月２２日付けの手続補正を却下する。
［理由］
１．補正の概要
　平成２７年５月２２日付けの手続補正（以下、「本件補正」という。）は、特許請求の範囲の請求項１の記載の補正を含む補正であり、特許請求の範囲の請求項１は、
　補正前（平成２６年５月１６日付け手続補正）の
「【請求項１】
　可変表示の開始条件が成立したことにもとづいて識別情報の可変表示を行い、識別情報の表示結果として特定表示結果が導出表示されたときに遊技者にとって有利な特定遊技状態に制御する遊技機であって、
　可変入賞装置を開放状態に制御する可変入賞装置制御手段と、
　未だ前記開始条件が成立していない可変表示について、保留記憶として記憶する保留記憶手段と、
　前記開始条件が成立したときに、前記保留記憶手段に記憶されている保留記憶にもとづいて、前記特定表示結果にするか否かを決定する開始条件成立時決定手段と、
　前記特定表示結果となるか否かを、前記開始条件成立時決定手段による決定前に判定する開始条件成立前判定手段と、
　前記可変入賞装置が開放状態に制御されること、または識別情報の可変表示において識別情報の表示結果が前記特定表示結果になる可能性を報知する所定演出を実行する所定演出実行手段と、
　前記開始条件成立前判定手段による判定にもとづいて、当該判定の対象となった識別情報の可変表示が実行される前に特定予告演出を実行するか否かを決定する特定予告演出決定手段と、
　前記特定予告演出決定手段の決定にもとづいて前記特定予告演出を実行する特定予告演
出実行手段とを備え、
　前記所定演出実行手段は、前記特定予告演出が実行されたときには、該特定予告演出が実行されないときに比べて、高い割合で前記所定演出を実行し、
　前記可変入賞装置制御手段は、前記可変入賞装置が開放状態に制御されることの報知の開始後に発射された遊技媒体が入賞可能に前記可変入賞装置を開放状態に制御可能である
　ことを特徴とする遊技機。」
から、
　補正後（本件補正：平成２７年５月２２日付けの手続補正）の
「【請求項１】
　可変表示の開始条件が成立したことにもとづいて識別情報の可変表示を行い、識別情報の表示結果として特定表示結果が導出表示されたときに遊技者にとって有利な特定遊技状態に制御する遊技機であって、
　可変入賞装置を開放状態に制御する可変入賞装置制御手段と、
　未だ前記開始条件が成立していない可変表示について、保留記憶として記憶する保留記憶手段と、
　前記開始条件が成立したときに、前記保留記憶手段に記憶されている保留記憶にもとづいて、前記特定表示結果にするか否かを決定する開始条件成立時決定手段と、
　前記特定表示結果となるか否かを、前記開始条件成立時決定手段による決定前に判定する開始条件成立前判定手段と、
　前記可変入賞装置が開放状態に制御されること、
および
可能な
　前記開始条件成立前判定手段による判定にもとづいて、当該判定の対象となった識別情報の可変表示が実行される前に特定予告演出を実行するか否かを決定する特定予告演出決定手段と、
　前記特定予告演出決定手段の決定にもとづいて前記特定予告演出を実行する特定予告演出実行手段とを備え、
　前記所定演出実行手段は、前記特定予告演出が実行されたときには、該特定予告演出が実行されないときに比べて、高い割合で前記所定演出を実行し、
　前記可変入賞装置制御手段は、前記可変入賞装置が開放状態に制御されることの報知の開始後に発射された遊技媒体が入賞可能に前記可変入賞装置を開放状態に制御可能である
　ことを特徴とする遊技機。」
へ補正された（下線部は補正箇所を示す）。
２．補正の適否
　本件補正は、所定演出を実行する所定演出実行手段について、補正前の「前記可変入賞装置が開放状態に制御されること、または識別情報の可変表示において識別情報の表示結果が前記特定表示結果になる可能性を報知する所定演出を実行する所定演出実行手段」を補正後の「前記可変入賞装置が開放状態に制御されること、
および
可能な
　そして、請求人が審判請求書の３．（１）において「なお、上記の補正は、・・・１つの共通の演出態様の所定演出で「可変入賞装置が開放状態に制御されること」および「特定表示結果になる可能性」の両方を報知可能であることを明確にすべく行ったものである。」と主張しているとおり、本件補正は、明りょうでない記載の釈明にあたる。
　よって、本件補正は、特許法１７条の２第５項４号の明りょうでない記載の釈明を目的とするものに該当する。
　さらに、本件補正は、新規事項を追加するものではない。
３．独立特許要件
　補正後の請求項１に記載された発明（以下、「本件補正発明」という。）が特許出願の際に独立して特許を受けることができるものであるか否か（特許法１７の２第６項において準用する同法１２６条７項の規定に適合するか否か）を検討する。
（１）本件補正発明
　本件補正発明は、上記１に記載したとおりのものである。
（２）刊行物
（２−１）刊行物１
　原査定の拒絶理由において提示された、本願の出願前に頒布された刊行物である特開２０１０−１１５３２５号公報（以下、「刊行物１」という。）には、図面と共に次の事項が記載されている（下線は審決にて付した。以下、同じ。）。
ア　「【０００１】
　本発明は、遊技者にとって有利な特定遊技状態に制御するパチンコ遊技機等の
遊技機
イ　「【００３０】
　遊技盤６における下部の左側には、各々が識別可能な複数種類の
識別情報としての第１特別図柄
識別情報としての第２特別図柄
【００３３】
　
第１特別図柄または第２特別図柄の変動表示は、
変動表示の開始を許容する開始条件
が成立したことに基づいて開始され、
表示結果
を導出表示する。
未だ変動表示の開始を許容する開始条件が成立していない保留記憶に関するデータは、
保留記憶データとして
記憶される。
保留記憶データは、後述する遊技制御用マイクロコンピュータ５６０のＲＡＭ５５の所定領域に記憶される。
ウ　「【００３９】
　また、第１始動入賞口（第１始動口）１３を有する入賞装置の下方には、遊技球が入賞可能な第２始動入賞口（第２始動口）１４を有する可変入賞球装置１５が設けられている。第２始動入賞口１４に入賞した遊技球は、遊技盤６の背面に導かれ、第２始動口スイッチ１４ａによって検出される。
可変入賞球装置１５は、ソレノイド１６によって開状態とされる。
エ　「【００４８】
　また、図１に示すように、可変入賞球装置１５の下方には、特別可変入賞球装置２０が設けられている。特別可変入賞球装置２０は開閉板を備え、
第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）
オ　「【００６２】
　また、ゲートスイッチ３２ａ、第１始動口スイッチ１３ａ、第２始動口スイッチ１４ａ、カウントスイッチ２３、入賞口スイッチ２９ａ，３０ａ，３３ａ，３９ａからの検出信号を遊技制御用マイクロコンピュータ５６０に与える入力ドライバ回路５８も主基板３１に搭載されている。また、
可変入賞球装置１５を開閉するソレノイド１６
を遊技制御用マイクロコンピュータ５６０からの指令にしたがって駆動する
カ　「【０１７８】
　
特定変動パターンにより変動表示が実行されなかったときよりも、特定変動パターンにより変動表示が実行されたときの方が、大当りとなる信頼度が高くなる
特定変動パターンは、識別情報の表示結果が非特定表示結果となるときよりも特定表示結果となるときの方が実行される割合が高くなる
特定変動パターンにより変動表示が実行されなかったときよりも、特定変動パターンにより変動表示が実行されたときの方が、遊技者に大当りに対する期待感を抱かせることができる。
キ　「【０１９０】
　
図１２は、遊技制御用マイクロコンピュータ５６０が送信する演出制御コマンドの内容の一例を示す説明図である。
【０２００】
　
コマンドＣ０ＸＸ（Ｈ）は、
先読み判定結果を指定する演出制御コマンド
コマンドＣ１ＸＸ（Ｈ）は、
先読み判定結果を指定する演出制御コマンド
ク　「【０２０１】
　
先読みとは、
変動開始時に当り判定や変動パターン設定を行なう前
に判定することをいう。
始動入賞時に早々と、当り判定、
を先読みして先読み判定結果を得るための制御が実行される。先読み判定結果は、始動入賞指定コマンドの下位バイトである「ＸＸ」により判定結果が特定されるように構成されている。
ケ　「【０２０６】
　たとえば、
遊技制御用マイクロコンピュータ５６０は、
始動入賞指定コマンドを演出制御用マイクロコンピュータ１００に送信する。
遊技制御用マイクロコンピュータ５６０は、始動入賞時に前述した先読みを行なった場合には、当該先読み判定結果に応じた始動入賞指定コマンドを送信する。
【０２１０】
  
演出制御用マイクロコンピュータ１００では、当該始動入賞指定コマンドに基づき、
先読み予告を実行するか否かを判定する
先読み予告とは、先読み判定結果に関する情報を、当該始動入賞に起因する変動表示開始前の段階から、複数回の変動表示に亘り連続して予告報知する演出をいう。
コ　「【０２１３】
　特別図柄通常処理（Ｓ３０２）：特別図柄プロセスフラグの値が０であるときに実行される。遊技制御用マイクロコンピュータ５６０は、
特別図柄の変動表示が開始できる状態になると、
第１特別図柄または第２特別図柄の変動表示の表示結果を大当りとするか否か
を決定する。
【０２５０】
　
ＣＰＵ５６は、ＲＡＭ５５において、
保存領域に格納されている各乱数値を読出してＲＡＭ５５の乱数バッファ領域に格納する
【０２５６】
　次いで、
ＣＰＵ５６は、乱数バッファ領域からランダムＲ（大当り判定用乱数）を読出し、当り判定を実行する
サ　「【０３９２】
　図４０の先読み予告実行決定用テーブルは、１５Ｒ大当り以外のときよりも１５Ｒ大当りであるときの方が高い割合で先読み予告が実行されるように、また、
非特定変動パターン種別のときよりも特定変動パターン種別であるときの方が高い割合で先読み予告が実行される
これにより、先読み予告が実行されたときには、先読み予告が実行されなかったときよりも、
特定変動パターンになることに対する期待感を遊技者に抱かせることができる。
シ　「【０４１５】
　
演出制御用ＣＰＵ１０１は、
演出表示装置９において変動パターンに応じた画像（演出図柄を含む。）を表示させるために、ＶＤＰ１０９に指令を出力する。
ス　「【０５５８】
　（１１）  図３９、図４５、および図４７で説明したように、
先読み予告
を実行するか否かが、
演出制御用マイクロコンピュータ１００により決定される。
【０５５９】
　（１２）  遊技制御用マイクロコンピュータ５６０より始動入賞指定コマンドを送信することにより、図３９で示すように、
演出制御用マイクロコンピュータ１００により
先読み予告を実行するための処理が行なわれる。
セ　上記コの段落【０２１３】の「
特別図柄の変動表示が開始できる状態になると、
第１特別図柄または第２特別図柄の変動表示の表示結果を大当りとするか否か
を決定する。
ＣＰＵ５６は、ＲＡＭ５５において、
保存領域に格納されている各乱数値を読出して
ＣＰＵ５６は、
ランダムＲ（大当り判定用乱数）を読出し、当り判定を実行する
特別図柄の変動表示が開始できる状態になると、ＲＡＭ５５の保存領域に格納されているランダムＲ（大当り判定用乱数）を読出し、特別図柄の変動表示の表示結果を大当りとするか否かを決定するＣＰＵ５６
ソ　上記キの段落【０１９０】、【０２００】の記載及び図１２を参照すると、遊技制御用マイクロコンピュータ５６０から送信される演出制御コマンドには先読み判定結果を指定する始動入賞指定コマンドが含まれており、技術常識を勘案すると、先読み判定を実行するのは遊技制御用マイクロコンピュータ５６０であると認められる。
タ　上記スの段落【０４１５】の「演出制御用ＣＰＵ１０１は、・・・演出表示装置９において変動パターンに応じた画像（演出図柄を含む。）を表示させるために、ＶＤＰ１０９に指令を出力する。」との記載より、演出表示装置９での変動表示は演出制御用ＣＰＵ１０１により実行されていると認められ、これより、上記カの段落【０１７８】に記載の「
識別情報の表示結果が非特定表示結果となるときよりも特定表示結果となるときの方が実行される割合が高い特定変動パターンによる変動表示
識別情報の表示結果が特定表示結果となるときの方が実行される割合が高い特定変動パターンにより変動表示を実行する演出制御用ＣＰＵ１０１
チ　上記スの段落【０５５８】の「先読み予告・・・を実行するか否かが、・・・演出制御用マイクロコンピュータ１００により決定される。」との記載から、上記サの段落【０３９２】の先読み予告の実行を決定するのは演出制御用マイクロコンピュータと認められるので、段落【０３９２】、【０５５８】の記載から、刊行物１には、「
演出制御用マイクロコンピュータ１００は、非特定変動パターン種別のときよりも特定変動パターン種別であるときの方が高い割合で先読み予告を実行
これにより、先読み予告が実行されたときには、先読み予告が実行されなかったときよりも、特定変動パターンになることに対する期待感を遊技者に抱かせ
ツ　上記ア〜スの記載事項、上記セ〜チの認定事項から、刊行物１には以下の発明（以下、「引用発明」という。）が記載されていると認められる。
「変動表示の開始条件が成立したことにもとづいて識別情報（特別図柄）の変動表示を行い、識別情報（特別図柄）の表示結果として特定表示結果が導出表示されたときに特定遊技状態（大当り遊技状態）が生起する遊技機であって、
　可変入賞球装置１５を開状態とする遊技制御用マイクロコンピュータ５６０と、
　未だ変動表示の開始条件が成立していない保留記憶に関するデータを保留記憶データとして記憶する遊技制御用マイクロコンピュータ５６０のＲＡＭ５５と、
　特別図柄の変動表示が開始できる状態になると、ＲＡＭ５５の保存領域に格納されているランダムＲ（大当り判定用乱数）を読出し、特別図柄の変動表示の表示結果を大当りとするか否かを決定するＣＰＵ５６と、
　変動開始時に当り判定や変動パターン設定を行う前である始動入賞時に、当り判定を実行する遊技制御用マイクロコンピュータ５６０と、
　識別情報の表示結果が非特定表示結果なるときよりも特定表示結果となるときの方が実行される割合が高い特定変動パターンにより変動表示を実行する演出制御用ＣＰＵ１０１と、
　変動開始時に当り判定や変動パターン設定を行う前である始動入賞時の判定による判定結果が特定された始動入賞指定コマンドにもとづいて、当該始動入賞に起因する変動表示開始前の段階から、先読み予告をするか否か判定する演出制御用マイクロコンピュータ１００と、
　演出制御用マイクロコンピュータ１００による先読み予告を実行するか否かの決定にもとづいて先読み予告を実行する演出制御用マイクロコンピュータ１００とを備え、
　演出制御用マイクロコンピュータ１００は、非特定変動パターン種別のときよりも特定変動パターン種別であるときの方が高い割合で先読み予告を実行し、これにより、先読み予告が実行されたときには、先読み予告が実行されなかったときよりも、特定変動パターンになることに対する期待感を遊技者に抱かせる、遊技機。」
（２−２）刊行物２
　原査定の拒絶理由において提示された、本願の出願前に頒布された刊行物である特開２０１１−２１２２９４号公報（以下、「刊行物２」という。）には、図面と共に次の事項が記載されている（下線は審決にて付した。以下、同じ。）。
ア　「【００２２】
　また、第１始動口６の下方には、第１入賞ゲート９及び第２入賞ゲート１０から一連の入賞経路が形成されている第２始動口７が設けられている。
第２始動口７は
入賞可能な状態
に切り換えられる。
所定条件が成立すると可動片７０ｂが作動することによって、
第２始動口７は入賞可能な状態になる。
普通図柄の抽選において、当たりに当選することである。
イ　「【０１１６】
　ステップＳ６００において、
メインＣＰＵ１０１ａは、
第２始動口開閉ソレノイド７０ｃ
を駆動させるための駆動制御データ
のデータ作成処理を行う。
ウ　「【０３６４】
　
サブＣＰＵ１０２ａは、
普図演出確定コマンドをサブＲＡＭ１０２ｃの送信バッファにセットし
【０３７１】
　
普図演出が開始されると、最初に普図演出が実行されることを気付かせるための（注意を引き付かせるための）準備的な演出（以下、「普図導入演出」という）が行われる。
【０３７２】
　その後、所定のキャラクターがルーレットに吸い込まれると共に、図５４（ａ）に示すように、ルーレットの回胴部（ドラム）が変動（回転）する。そして、普通図柄の停止表示と同時に、
当該普通図柄抽選の結果に対応した演出図柄が停止表示される。
エ　「【０３７６】
　次に、図５２及び図５５（ａ）を用いて、ロング開放演出について説明する。上述したように本実施の形態では、ロング開放演出は、ロング開放予告演出とロング開放中演出とで構成されている。ロング開放予告演出は、特別保証期間が開始されてからロング開放が行われるまでの間に行われる。その内容としては、画像出力装置１３の画面の所定領域において、「ロング開放まであと○秒」とロング開放を予告する表示がなされ、○の部分には実際にロング開放が開始されるまでの時間（秒数）が、３・２・１とカウントダウンされる。さらに、
特別保証期間は、ロング開放予告が開始されるのと同時に開始され、それから遊技球を発射しても第２始動口７に到達容易な時間に設定されている。
オ　上記ウの段落【０３７６】には、「特別保証期間は、ロング開放予告が開始されるのと同時に開始され、それから遊技球を発射しても第２始動口７に到達容易な時間に設定されている。このように、遊技者がロング開放の機会を逃し難くなっている。」と記載されているので、ロング開放予告の開始後に発射された遊技球が第２始動口７に入賞可能にロング開放を行うものと認められる。ここで、上記アの段落【００２２】及び上記イの段落【０１１６】より、第２始動口７の開放の制御はＣＰＵ１０１ａにより行われる。したがって、刊行物２には、ＣＰＵ１０１ａは、ロング開放予告の開始後に発射された遊技球が第２始動口７に入賞可能に第２始動口７の可動片７０ｂを制御可能であることが記載されていると認められる。
カ　上記ア〜エの記載事項、上記オの認定事項から、刊行物２には以下の技術事項が記載されていると認められる。
「普通図柄の抽選において当たりに当選すると、第２始動口７へ入賞可能な状態となるように可動片７０ｂを作動させるメインＣＰＵ１０１ａと、
　普通図柄抽選の結果に対応した演出図柄の停止表示を行う普図導入演出を実行するサブＣＰＵ１０２ａとを備え、
　ＣＰＵ１０１ａは、ロング開放予告の開始後に発射された遊技球が第２始動口７に入賞可能に第２始動口７の可動片７０ｂを制御可能である、遊技機。」
（３）対比
　本件補正発明と引用発明とを対比する。請求人は審判請求書で本件補正発明を（ａ）〜（ｉ）に分説しているので、それに対応して対比する。
（ａ）引用発明の「変動表示」、「特定遊技状態（大当り遊技状態）」は、本件補正発明の「可変表示」、「遊技者にとって有利な特定遊技状態」に相当することは明らかである。
　また、引用発明の「可変入賞球装置１５」は本件補正発明の「可変入賞装置」に相当し、そして、引用発明の「マイクロコンピュータ５６０」は、「可変入賞球装置１５」を制御する制御手段である。
　したがって、引用発明の「変動表示の開始条件が成立したことにもとづいて識別情報（特別図柄）の変動表示を行い、識別情報（特別図柄）の表示結果として特定表示結果が導出表示されたときに特定遊技状態（大当り遊技状態）が生起する遊技機」は、本件補正発明の「可変表示の開始条件が成立したことにもとづいて識別情報の可変表示を行い、識別情報の表示結果として特定表示結果が導出表示されたときに遊技者にとって有利な特定遊技状態に制御する遊技機」に相当する。
　また、引用発明の「可変入賞球装置１５を開状態に制御するマイクロコンピュータ５６０」は、本件補正発明の「可変入賞装置を開放状態に制御する可変入賞装置制御手段」に相当する。
（ｂ）引用発明の「変動表示」は本件補正発明の「可変表示」に相当するので、引用発明の「保留記憶」は、「可変表示」についてのものといえる。また、引用発明の「保留記憶データ」は本件補正発明の「保留記憶」に相当する。ここで、引用発明の「遊技制御用マイクロコンピュータ５６０のＲＡＭ５５」は、保留記憶に関するデータを記憶する記憶手段である。
　したがって、引用発明の「未だ変動表示の開始条件が成立していない保留記憶に関するデータを保留記憶データとして記憶する遊技制御用マイクロコンピュータ５６０のＲＡＭ５５」は、本件補正発明の「未だ開始条件が成立していない可変表示について、保留記憶として記憶する保留記憶手段」に相当する。
（ｃ）本件補正発明の「前記開始条件」とは、「識別情報の可変表示の開始条件」のことであるから、引用発明の「特別図柄の変動表示が開始できる状態になる」ことは、本件補正発明の「開始条件が成立したとき」に相当する。また、引用発明の「ランダムＲ（大当り判定用乱数）」は、ＲＡＭ５５の保存領域に格納されており、特別図柄の変動表示が開始できる状態になると読出されるのであるから、本件補正発明の「保留記憶」に相当することは明らかである。
　したがって、引用発明の「特別図柄の変動表示が開始できる状態になると、ＲＡＭ５５の保存領域に格納されているランダムＲ（大当り判定用乱数）を読出し、特別図柄の変動表示の表示結果を大当りとするか否かを決定するＣＰＵ５６」は、本件補正発明の「前記開始条件が成立したときに、前記保留記憶手段に記憶されている保留記憶にもとづいて、前記特定表示結果にするか否かを決定する開始条件成立時決定手段」に相当する。
（ｄ）引用発明の「変動開始時」は、変動表示の開始条件が成立した時と同じタイミングであるので、本件補正発明の「開始条件成立時」に相当する。また、本件補正発明の「前記開始条件成立時決定手段による決定」とは、特定表示結果にするか否かの決定を意味するので、引用発明の「当り判定や変動パターン設定を行う」のうち、「当り判定を行う」ことは、本件補正発明の「前記開始条件成立時決定手段による決定」に相当する。以上より、引用発明の「変動開始時に当り判定や変動パターン設定を行う前（である始動入賞時）」は、本件補正発明の「前記開始条件成立時決定手段による決定前」に相当する。
　したがって、引用発明の「変動開始時に当り判定や変動パターン設定を行う前である始動入賞時に、当り判定を実行する遊技制御用マイクロコンピュータ５６０」は、本件補正発明の「前記特定表示結果となるか否かを、前記開始条件成立時決定手段による決定前に判定する開始条件成立前判定手段」に相当する。
（ｅ）引用発明の「識別情報の表示結果が非特定表示結果なるときよりも特定表示結果となるときの方が実行される割合が高い特定変動パターンにより変動表示を実行する演出制御用ＣＰＵ１０１」と、
　本件補正発明の「前記可変入賞装置が開放状態に制御されること、および識別情報の可変表示において識別情報の表示結果が前記特定表示結果になる可能性を報知可能な所定演出を実行する所定演出実行手段」とを対比する。
　引用発明において、「特定変動パターン」による変動表示は、識別情報の表示結果が非特定表示結果なるときよりも特定表示結果となるときの方が実行される割合が高いので、「特定変動パターン」による変動表示を実行することにより、特定表示結果となる可能性が高いことを報知可能である。したがって、引用発明の「特定変動パターン」による変動表示は、本件補正発明の「識別情報の表示結果が前記特定表示結果になる可能性を報知可能な所定演出」に相当する。
　よって、引用発明の「識別情報の表示結果が非特定表示結果なるときよりも特定表示結果となるときの方が実行される割合が高い特定変動パターンにより変動表示を実行する演出制御用ＣＰＵ１０１」は、本件補正発明の上記「および」以下の構成である「識別情報の可変表示において識別情報の表示結果が前記特定表示結果になる可能性を報知可能な所定演出を実行する所定演出実行手段」に相当する。
（ｆ）引用発明の「変動開始時に当り判定や変動パターン設定を行う前である始動入賞時の判定」は、本件補正発明の「前記開始条件成立前判定手段による判定」に相当する（上記（ｄ）の説明を参照されたい。）。また、引用発明の「先読み予告」は、本件補正発明の「特定予告演出」に相当し、引用発明の「当該始動入賞に起因する変動表示開始前の段階から、先読み予告をする」は、本件補正発明の「当該判定の対象となった識別情報の可変表示が実行される前に特定予告演出を実行する」に相当する。ここで、引用発明において「変動開始時に当り判定や変動パターン設定を行う前である始動入賞時の判定による判定結果が特定された始動入賞指定コマンドにもとづいて」とは、結局は、「変動開始時に当り判定や変動パターン設定を行う前である始動入賞時の判定」にもとづくことを意味する。
　したがって、引用発明の「変動開始時に当り判定や変動パターン設定を行う前である始動入賞時の判定による判定結果が特定された始動入賞指定コマンドにもとづいて、当該始動入賞に起因する変動表示開始前の段階から、先読み予告をするか否か判定する演出制御用マイクロコンピュータ１００」は、本件補正発明の「前記開始条件成立前判定手段による判定にもとづいて、当該判定の対象となった識別情報の可変表示が実行される前に特定予告演出を実行するか否かを決定する特定予告演出決定手段」に相当する。
（ｇ）引用発明の「先読み予告」は、本件補正発明の「特定予告演出」に相当する。また、本件補正発明の「前記特定予告演出決定手段の決定」とは、「特定予告演出」を実行するか否かの決定であることは明らかである。
　したがって、引用発明の「先読み予告を実行するか否かの決定にもとづいて先読み予告を実行する演出制御用マイクロコンピュータ１００」は、本件補正発明の「前記特定予告演出決定手段の決定にもとづいて前記特定予告演出を実行する特定予告演出実行手段」に相当する。
（ｈ）引用発明の「演出制御用マイクロコンピュータ１００は、非特定変動パターン種別のときよりも特定変動パターン種別であるときの方が高い割合で先読み予告を実行し、これにより、先読み予告が実行されたときには、先読み予告が実行されなかったときよりも、特定変動パターンになることに対する期待感を遊技者に抱かせる」と、
　本件補正発明の「前記所定演出実行手段は、前記特定予告演出が実行されたときには、該特定予告演出が実行されないときに比べて、高い割合で前記所定演出を実行し」とを対比する。
　引用発明の「特定変動パターン」による変動表示、「先読み予告」は、本件補正発明の「所定演出」、「特定予告演出」に相当する。ここで、引用発明において、「非特定変動パターン種別のときよりも特定変動パターン種別であるときの方が高い割合で先読み予告を実行」することは、「これにより、先読み予告が実行されたときには、先読み予告が実行されなかったときよりも、特定変動パターンになることに対する期待感を遊技者に抱かせる」との記載から、「先読み予告が実行されたときには、先読み予告が実行されなかったときよりも、高い割合で特定変動パターンによる変動表示を実行」することを意味することは明らかである。また、演出制御用マイクロコンピュータ１００は、演出を実行する実行手段であるので、本件補正発明の「所定演出実行手段」の機能を含んでいる。
　したがって、引用発明の「演出制御用マイクロコンピュータ１００は、非特定変動パターン種別のときよりも特定変動パターン種別であるときの方が高い割合で先読み予告を実行し、これにより、先読み予告が実行されたときには、先読み予告が実行されなかったときよりも、特定変動パターンになることに対する期待感を遊技者に抱かせる」は、本件補正発明の「前記所定演出実行手段は、前記特定予告演出が実行されたときには、該特定予告演出が実行されないときに比べて、高い割合で前記所定演出を実行し」に相当する。
　上記（ａ）〜（ｈ）より、本件補正発明と引用発明とは以下の点で一致している。
「可変表示の開始条件が成立したことにもとづいて識別情報の可変表示を行い、識別情報の表示結果として特定表示結果が導出表示されたときに遊技者にとって有利な特定遊技状態に制御する遊技機であって、
　可変入賞装置を開放状態に制御する可変入賞装置制御手段と、
　未だ前記開始条件が成立していない可変表示について、保留記憶として記憶する保留記憶手段と、
　前記開始条件が成立したときに、前記保留記憶手段に記憶されている保留記憶にもとづいて、前記特定表示結果にするか否かを決定する開始条件成立時決定手段と、
　前記特定表示結果となるか否かを、前記開始条件成立時決定手段による決定前に判定する開始条件成立前判定手段と、
　識別情報の可変表示において識別情報の表示結果が前記特定表示結果になる可能性を報知可能な所定演出を実行する所定演出実行手段と、
　前記開始条件成立前判定手段による判定にもとづいて、当該判定の対象となった識別情報の可変表示が実行される前に特定予告演出を実行するか否かを決定する特定予告演出決定手段と、
　前記特定予告演出決定手段の決定にもとづいて前記特定予告演出を実行する特定予告演出実行手段とを備え、
　前記所定演出実行手段は、前記特定予告演出が実行されたときには、該特定予告演出が実行されないときに比べて、高い割合で前記所定演出を実行する、
　遊技機。」
　そして、本件補正発明と引用発明は、以下の点で相違している。
（相違点１）
　所定演出について、本件補正発明は、「可変入賞装置が開放状態に制御されること」、および「識別情報の可変表示において識別情報の表示結果が前記特定表示結果になる可能性」を報知可能としたのに対し、引用発明は、「識別情報の可変表示において識別情報の表示結果が前記特定表示結果になる可能性」を報知可能であるが、「可変入賞装置が開放状態に制御されること」の報知については特定されていない点。
（相違点２）
　可変入賞装置制御手段について、本件補正発明は、「可変入賞装置が開放状態に制御されることの報知の開始後に発射された遊技媒体が入賞可能に前記可変入賞装置を開放状態に制御可能である」のに対し、引用発明は、このような特定はなされていない点。
（４）当審の判断
（４−１）相違点について
ア　相違点１
　刊行物２には、上記（２−２）のとおり、「普通図柄の抽選において当たりに当選すると、第２始動口７へ入賞可能な状態となるように可動片７０ｂが作動させる」ことが記載されており、「第２始動口７」及び「可動片７０ｂ」は「可変入賞装置」である。また、刊行物２には、「普通図柄抽選の結果に対応した演出図柄の停止表示を行う普図導入演出」が記載されており、普通図柄抽選の結果が当りであれば可動片７０ｂが作動するので、「普通図柄抽選の結果に対応した演出図柄の停止表示を行う普図導入演出」により、可変入賞装置が開放状態に制御されることを報知可能である。したがって、刊行物２の「普図導入演出」は「所定演出」といえるので、刊行物２には、「可変入賞装置が開放状態に制御されることを報知可能な所定演出を実行する」ことが記載されているといえる。
　そして、引用発明に、「普通図柄表示器１０」における停止図柄が所定の図柄（当り図柄）である場合に、可変入賞装置（可変入賞球装置１５）が開状態になることを報知するため、「普通図柄表示器１０」における表示に加えて、刊行物２に記載の所定演出（普図導入演出）を適用して、前記相違点１に係る本件補正発明の構成とすることは、引用発明と刊行物２の課題の共通性を考慮すれば、当業者が容易に想到し得たことである。
　したがって、引用発明に刊行物２に記載の技術事項を適用して、前記相違点１に係る本件補正発明の構成とすることは、当業者が容易になし得たことである。
イ　相違点２
　刊行物２には、上記（２−２）に示したとおり、「ＣＰＵ１０１ａは、ロング開放予告の開始後に発射された遊技球が第２始動口７に入賞可能に第２始動口７の可動片７０ｂを制御可能である」ことが記載されている。ここで、刊行物２に記載の「ロング開放予告」を行うことは、「第２始動口７に入賞可能に第２始動口７の可動片７０ｂが開放状態に制御されること」、すなわち、「可変入賞装置が開放状態に制御されること」の報知を行うことを意味する。したがって、刊行物２には、「可変入賞装置制御手段は、可変入賞装置が開放状態に制御されることの報知の開始後に発射された遊技媒体が入賞可能に前記可変入賞装置を開放状態に制御可能である」ことが記載されているといえる。
　そして、引用発明の可変入賞装置（可変入賞球装置１５）の制御手段において、刊行物２に記載の上記技術事項を適用し、前記相違点２に係る本件補正発明の構成とすることは、当業者であれば容易に想到し得たことである。
（４−２）請求人の主張について
　請求人は、平成２７年５月２２日付けの審判請求書において、「請求項１に関して、本願発明と引用文献に記載された発明とを比較すると、引用文献１，２に記載された発明を組み合わせたとしても、少なくとも、上記の（ｈ：所定演出実行手段が、特定予告演出が実行されたときには、該特定予告演出が実行されないときに比べて、高い割合で所定演出を実行すること）の構成要素が存在しない。 
　本願発明では、前提として、上記の（ｅ：可変入賞装置が開放状態に制御されること、および識別情報の可変表示において識別情報の表示結果が特定表示結果になる可能性を報知可能な所定演出を実行する所定演出実行手段を備えること）の構成要素を備えることによって、可変入賞装置が開放状態に制御されることの報知と特定表示結果になる可能性の報知との２種類の報知を可能な所定演出を実行する。そして、そのような前提の下、本願の補正後の請求項１に係る発明は、上記の（ｈ）の構成要素を備えることによって、特定予告演出が実行されたときには、該特定予告演出が実行されないときに比べて、高い割合で所定演出を実行する。」（第５頁第１４〜２３行）旨主張している。 
　当該主張について検討するに、本件補正発明は、「可変入賞装置が開放状態に制御されること、および識別情報の可変表示において識別情報の表示結果が特定表示結果になる可能性を報知可能な所定演出を実行する所定演出実行手段を備え」、「所定演出実行手段が、特定予告演出が実行されたときには、該特定予告演出が実行されないときに比べて、高い割合で前記所定演出を実行する」ものである。そして、「可変入賞装置が開放状態に制御されること」を報知する演出を「Ａ演出」、「識別情報の可変表示において識別情報の表示結果が特定表示結果になる可能性」を報知する演出を「Ｂ演出」とすると、本件補正発明は、「所定演出」として「Ａ演出」と「Ｂ演出」の両方を実行可能であるが、「特定予告演出が実行されたときには、該特定予告演出が実行されないときに比べて、高い割合で前記所定演出を実行する」における「前記所定演出」は「Ａ演出」又は「Ｂ演出」を指すものと解せられる。
　したがって、請求項１の記載によれば、本件補正発明は、所定演出として「Ａ演出」および「Ｂ演出」を実行可能とし、特定予告演出が実行されたときには、該特定予告演出が実行されないときに比べて、高い割合で「Ａ演出」又は「Ｂ演出」の前記所定演出を実行するものである。
　そうすると、特定予告演出が実行されるときには、該特定予告演出が実行されないときに比べて、所定演出（Ｂ演出）を高い割合で実行することは、上記（３）の（ｅ）、（ｈ）で示したとおり、引用発明の構成に含まれている。
　よって、引用発明は、本件補正発明と、「所定演出実行手段が、特定予告演出が実行されたときには、該特定予告演出が実行されないときに比べて、高い割合で所定演出を実行する」との構成において、差異はない。
　以上より、請求人の主張は採用できない。
（４−３）小括
　本件補正発明の効果は、引用発明及び刊行物２に記載された事項から予測される範囲内のものにすぎず、格別なものではない。 
　したがって、上記（４−１）において検討したように、本件補正発明は、当業者が引用発明及び刊行物２に記載された技術事項に基づいて容易に発明をすることができたものである。
４．むすび
　以上のとおり、本件補正は、特許法第１７条の２第６項で準用する同法第１２６条第７項の規定に違反するものであり、同法第１５９条第１項で読み替えて準用する同法第５３条第１項の規定により却下されるべきものである。よって、上記補正の却下の決定の結論のとおり決定する。
第３　本願発明
　本件補正（平成２７年５月２２日付け手続補正）は、上記第２のとおり却下されたので、本願の請求項１に係る発明（以下、「本願発明」という。）は、平成２６年５月１６日付けの手続補正書により補正された、上記第２の１において特許請求の範囲の請求項１に記載された事項により特定されるとおりのものである。
１．刊行物
　原査定の拒絶の理由で引用された引用文献１（前記刊行物１）及び引用文献２（前記刊行物２）の記載事項は、前記第２の３（２）に記載したとおりである。そして、引用文献１には、前記第２の３（２）で認定した「引用発明」が記載されている。
２．対比・判断
　本願発明は、本件補正発明の「前記可変入賞装置が開放状態に制御されること、
および
可能な
　そこで、本願発明と引用発明とを対比すると、本件補正発明と引用発明との相違点のうち、相違点１については、前記第２の３（３）（ｅ）で検討したとおり、引用発明は、「識別情報の可変表示において識別情報の表示結果が前記特定表示結果になる可能性を報知可能な所定演出」を行うものであるから、本願発明の「前記可変入賞装置が開放状態に制御されること、または識別情報の可変表示において識別情報の表示結果が前記特定表示結果になる可能性を報知する所定演出を実行する所定演出実行手段」との構成を備えているといえる。
　したがって、本願発明と引用発明とは、本件補正発明と引用発明との相違点のうち、相違点２でのみ相違しているが、当該相違点については、前記第２の（４−１）で検討したとおり、刊行物２に記載されており、本願発明は、引用発明及び刊行物２に記載された事項より、当業者が容易に想到し得たものである。
３．むすび
　以上のとおりであるから、本願発明は、特許法第２９条第２項の規定により特許を受けることができない。したがって、その余の請求項については検討するまでもなく、本願は拒絶されるべきものである。
　よって、結論のとおり審決する。